(57)【要約】  Ｘ線源（１）及びＸ線放射を発生させるための対応する方法が開示される。Ｘ線源は、相互作用領域（Ｉ）を備えるチャンバ（１１０）と、第１のエネルギーの電子を備える、第１の電子ビームがターゲット（１２０）と相互作用してＸ線放射（１５０）を発生させるように、相互作用領域に向かって第１の電子ビームを放出するように動作可能な第１の電子源（１３０）とを備える。Ｘ線源は更に、チャンバ内の粒子をイオン化するための第２のエネルギーの電子を備える第２の電子ビームを放出するように独立して動作するように適応された第２の電子源（１６０）と、電磁界（Ｅ）によってチャンバからイオン化粒子を除去するように適応されたイオン収集ツール（１７０）とを備える。粒子をイオン化し、それらがチャンバ内を自由に動くことを防ぐことによって、チャンバの汚染物質に関連する問題が軽減されることができる。
2019525386.tif 000002
【特許請求の範囲】
【請求項１】
相互作用領域（Ｉ）を備えるチャンバ（１１０）と、
第１のエネルギーの電子を備え、第１の電子ビームがターゲット（１２０）と相互作用してＸ線放射（１５０）を発生させるように、前記相互作用領域に向かって前記第１の電子ビームを放出するように動作可能な第１の電子源（１３０）と、
前記チャンバ内の粒子をイオン化するための第２のエネルギーの電子を備える第２の電子ビームを放出するべく独立して動作するように適応された第２の電子源（１６０）と、
電磁界（Ｅ）によって前記チャンバから前記イオン化された粒子を除去するように適応されたイオン収集ツール（１７０）と、
を備えるＸ線源（１）であって、
前記第２の電子源は、電子エミッタ（１６２）と、加速電位を発生させるための陽極電極（１６４）と、デフレクタ（１６６）とを備える、Ｘ線源。
【請求項２】
前記電子エミッタは、ヒータ電流によって加熱されると電子を放出するためのフィラメントを備える、請求項１に記載のＸ線源。
【請求項３】
前記ヒータ電流、前記加速電位、及び前記デフレクタのうちの少なくとも１つを調整するように配置されたコントローラ（１９０）を更に備える、請求項２に記載のＸ線源。
【請求項４】
前記イオン収集ツールは、イオン化粒子の数の測定値を供給するように配置され、前記コントローラは、前記測定値を増加させる調整を行うように配置される、請求項３に記載のＸ線源。
【請求項５】
前記第１のエネルギーは１ｋｅＶ又はそれより高く、前記第２のエネルギーは１ｋｅＶよりも低い、請求項１に記載のＸ線源。
【請求項６】
前記イオン収集ツールは、ゲッタ材料を備える、請求項１乃至５のいずれか一項に記載のＸ線源。
【請求項７】
前記イオン収集ツールは、前記イオン化された粒子をイオンダンプの方へ向ける前記電磁界を発生させるための導電性要素（１７２）を備える、請求項１乃至６のいずれか一項に記載のＸ線源。
【請求項８】
前記イオン収集ツールは、前記第１の電子ビームに対して横方向に配向された電界を発生させるように適応される、請求項１乃至７のいずれか一項に記載のＸ線源。
【請求項９】
前記電磁界は、前記第１の電子源の光軸に対して回転対称に配置される、請求項１乃至７のいずれか一項に記載のＸ線源。
【請求項１０】
ターゲットを形成するように前記相互作用領域を通って伝播するターゲット材料の流れを形成するように適応されたターゲット発生器（１４０）を更に備える、請求項１乃至９のいずれか一項に記載のＸ線源。
【請求項１１】
前記ターゲットは、液体金属ジェットから形成される、請求項１０に記載のＸ線源。
【請求項１２】
前記イオン収集ツールは、前記ターゲット材料を前記ターゲット発生器に再供給するための液体ジェット材料システム（１４２）に接続される、請求項１１に記載のＸ線源。
【請求項１３】
Ｘ線窓（１８０）を更に備え、前記第２の電子源は、前記第２の電子ビームを前記Ｘ線窓の方へ向けるように適応される、請求項１に記載のＸ線源。
【請求項１４】
Ｘ線放射を発生させるための方法であって、
第１のエネルギーの電子を備える第１の電子ビームがターゲットと相互作用してＸ線放射を発生させるように、前記第１の電子ビームをチャンバ内の相互作用領域の方へ向けること（２０）と、
前記チャンバ内の粒子をイオン化するための第２のエネルギーの電子を備える第２の電子ビームが、前記第１の電子ビームと前記ターゲットとの前記相互作用から発生したデブリと相互作用するように、前記第１の電子ビームとは独立して、前記第２の電子ビームを向けて（３０）、それによって前記チャンバ内の前記粒子の少なくとも一部をイオン化することと、
電磁界によって前記チャンバから前記イオン化された粒子を除去すること（４０）と、
を行うステップを備える、方法。
【請求項１５】
前記イオン化された粒子を収集すること（５０）と、イオン化粒子が収集された割合を測定すること（６０）と、前記割合が増加するように前記第２の電子ビームを調整すること（７０）とを更に備える、請求項１４に記載の方法。
【請求項１６】
前記ターゲットを形成するように前記チャンバ内の前記相互作用領域を通って伝搬するターゲット材料の流れを形成すること（１０）を更に備える、請求項１４又は１５に記載の方法。
【請求項１７】
前記チャンバから除去された前記粒子を前記ターゲットに再供給すること（８０）を更に備える、請求項１４乃至１６のいずれか一項に記載の方法。
【請求項１８】
収集された前記イオン化された粒子を前記ターゲット材料の流れに再供給することを更に備える、請求項１６に記載の方法。
【発明の詳細な説明】
【技術分野】
【０００１】
本明細書で開示される発明は、概して、Ｘ線放射の発生に関する。特に、本発明は、粒子をイオン化するためのイオン化ツールを有する電子衝突Ｘ線源と、そのイオン化された粒子を除去するためのイオン収集ツールとに関する。
【技術背景】
【０００２】
液体ターゲットを照射することによってＸ線を発生させるためのシステムが、出願人の国際特許出願ＰＣＴ／ＥＰ２０１２／０６１３５２及びＰＣＴ／ＥＰ２００９／０００４８１に説明されており、ここにおいて、高電圧陰極を備える電子銃が、液体ジェットに衝突する電子ビームを生成するために利用される。動作中に液体ジェットの一部分が電子ビームによって衝突される空間の位置は、相互作用領域又は相互作用ポイントと称される。電子ビームと液体ジェットとの相互作用によって発生するＸ線放射は、真空チャンバを周囲雰囲気から分離するＸ線窓を通って真空チャンバを出ることができる。
【０００３】
液体ターゲットからのデブリ及び蒸気を含む自由粒子は、窓及び陰極に堆積する傾向がある。これは、堆積するデブリが窓を覆い、陰極の効率を低下させることもあるので、システムの性能の漸進的な劣化を引き起こす。ＰＣＴ／ＥＰ２０１２／０６１３５２では、陰極に向かって動く荷電粒子を偏向させるように配置された電界によって陰極が保護される。ＰＣＴ／ＥＰ２００９／０００４８１では、窓に堆積した汚染物質を蒸発させるために熱源が用いられる。
【０００４】
このような技術は、真空チャンバ内の汚染物質によって引き起こされる問題を軽減することができるが、増加した耐用年数及び増加したメンテナンス間隔を有する改良されたＸ線源が依然として必要とされている。
【発明の概要】
【０００５】
本発明の目的は、上記問題点の少なくとも一部に対処するＸ線源を提供することである。具体的な目的は、メンテナンスをあまり必要としない、増加した耐用年数を有するＸ線源を提供することである。
【０００６】
開示される技術のこの目的及び他の目的は、独立請求項に規定された特徴を有するＸ線源及び方法によって達成される。有利な実施形態が従属請求項に規定されている。
【０００７】
したがって、本発明の第１の態様によれば、相互作用領域を有するチャンバ、第１の電子源、及び第２の電子源を備えるＸ線源が設けられる。第１の電子源は、第１のエネルギーを有する電子を備える第１の電子ビームがターゲットと相互作用してＸ線放射を発生させるように、相互作用領域に向かって第１の電子ビームを放出するように動作可能である。第２の電子源は、チャンバ内に存在する粒子をイオン化するための第２のエネルギーの電子を備える第２の電子ビームを放出するように独立して動作するように適応される。第２の電子源は、電子エミッタと、加速電位を発生させるための陽極電極と、デフレクタとを備え得る。更に、イオン収集ツールが、電磁界によってチャンバからイオン化粒子を除去するように配置され得る。
【０００８】
第２の態様によれば、Ｘ線放射を発生させるための方法が提供され、本方法は、  
第１の電子ビームをチャンバ内の相互作用領域の方へ向けることと、ここで、第１の電子ビームの電子は、相互作用領域内のターゲットと相互作用するとＸ線放射を発生させるための第１のエネルギーを有する、  
チャンバ内の粒子をイオン化するための第２のエネルギーの電子を備える第２の電子ビームが、第１の電子ビームとターゲットとの相互作用から発生したデブリと相互作用してチャンバ内の粒子の少なくとも一部をイオン化するように、第１の電子ビームとは独立して、第２の電子ビームを向けることと、  
電磁界によってチャンバからイオン化粒子を除去することと、を行うステップを備える。
【０００９】
第１の電子ビームが相互作用領域内の照射物体と相互作用すると、蒸気、デブリ、及び他の粒子が発生し得る。しかしながら、自由粒子又は他の汚染物質が、チャンバを周囲雰囲気から分離するブッシング又はシーリング若しくはチャンバを画定するハウジングのようなＸ線源の他の部分から生じることもあることが理解されるであろう。中性粒子及び荷電粒子の両方がチャンバ内に存在し得る。荷電粒子は、例えば、第１の電子ビームの近傍、主に相互作用領域の上流で発生し得る（本開示で使用されるとき、「上流」及び「下流」という用語は、第１の電子ビームが伝播する方向を指す）。荷電粒子はまた、中性粒子を形成するように互いに再結合し得る。
【００１０】
陽イオンが陰極に向かって加速され、スパッタリングダメージ及び腐食を引き起こすこともあるので、荷電粒子は陰極にとって特に有害であることもある。例えば蒸気のような中性汚染物質は、陰極上で凝縮し、時間とともに陰極を劣化させる液滴又はより大きい堆積物を形成することもある。しかしながら、この劣化プロセスは、荷電粒子によって引き起こされる劣化よりも著しく遅いこともある。帯電した汚染物質及び中性汚染物質も、Ｘ線窓に有害であることもあり、それらはその上に堆積することによってＸ線を吸収し、よって窓の効率を低下させる。
【００１１】
よって、本発明は、中性粒子をイオン化するための、第２の電子源が好ましい実施形態である、イオン化ツールとイオン収集ツールを組み合わせることによって、Ｘ線源の損傷を受けやすい部分に到達するデブリの量が更に制限されることができるという認識に基づくものである。よって、窓を覆い、陰極の効率を低下させる堆積物及び汚染物質によって引き起こされるＸ線源の性能の漸進的な劣化が軽減されることができる。
【００１２】
イオン収集ツールそれ自体が陰極又はＸ線窓に向かう粒子の輸送を制御（例えば、逆転、捕捉、又は方向転換）する目的で効率的であり得ても、電気的に中性の粒子は、上述されたように、依然としてチャンバ内を比較的影響を受けずに伝播し、Ｘ線源の損傷を受けやすい部分を劣化させることもある。それゆえイオン化ツールの使用が、イオン化ツールと相互作用すると帯電することによってイオン収集ツールによって捕捉されることが可能となり得る中性粒子を捕捉することにも特に有利である。イオン化ツールの使用はまた、ヒータがシステムにコスト及び複雑さを加えることもあるので、例えば、Ｘ線窓に堆積した材料を蒸発させるための加熱手段を利用する先行技術よりも有利である。
【００１３】
イオン化ツールは、代替的又は追加的に、例えば電界、イオン銃、又はレーザを備え得る。好ましくはイオン化ツールの性能は、第１の電子ビームとターゲットとの相互作用から発生するデブリについてのイオン化断面を最大にするように調整され得る。
【００１４】
イオン化ツールはまた、再結合粒子がイオン収集ツールによって捕獲されることができるように、再結合粒子を再イオン化することによって再結合の影響を低減することができる。
【００１５】
イオン化ツールは、例えば、相互作用領域、Ｘ線窓、及び／又は第１の電子源（例えば、陰極領域）の近傍で粒子をイオン化するように適応され得る。更に、イオン化ツールは、相互作用領域とＸ線窓との間の位置、及び／又は相互作用領域の上流、すなわち相互作用領域と陰極領域との間の位置で粒子をイオン化し得る。相互作用領域とＸ線窓との間で粒子をイオン化することによって、汚染物質の少なくとも一部がＸ線窓に到達する前に方向転換されることが可能となる。相互作用領域と陰極領域との間で粒子をイオン化することによって、中性粒子は、第１の電子源に向かって更に伝播する前に、イオン化及び方向転換されることができる。したがって、いくつかの異なる構成が考えられ、例えば、チャンバ内のどこで粒子が発生するか、それらがどこから除去されるべきか、イオン収集ツールの位置等に依存して選択され得る。
【００１６】
一実施形態では、イオン化ツールは、第１の電子源とは独立して動作及び制御され得る。よって、チャンバ内の粒子をイオン化するイオン化ツールの能力は、第１の電子源の動作、発生したＸ線放射、チャンバ内に存在する後方散乱電子の量、及び／又は相互作用領域から発生した粒子の数から独立して調整及び制御され得る。これは、Ｘ線生成を妨げることなく粒子のイオン化の割合が調整されることができるという点で利点を提供することができる。特定の一実施形態によれば、イオン化ツールは、電子エミッタと、所望の電子エネルギーを供給するために加速電位を発生させる陽極電極と、出ていく電子ビームを意図された領域の方へ向けるためのデフレクタとを備える、電子銃のような、第２の電子源を備え得る。一実施形態では、該電子エミッタは、いわゆる熱電子放出を利用する加熱されたフィラメントから形成され得る。フィラメントは、ヒータ電流をフィラメントに通すことによって加熱され得る。フィラメントの温度を増加させることによって、すなわち電流を上げ、ひいてはより多くの熱を供給することによって、放出される電子の数が増加し得、すなわち電子電流が増加する。
【００１７】
イオン化ツールは更に、イオン化率を増加させるように、電子電流、電子エネルギー、及び電子ビーム方向のようなイオン化パラメータを調整するためのコントローラを備え得る。イオン収集ツールは、特定の時間の間に収集されたイオン化粒子の数を測定する能力を有してもよく、よって、イオン化率の推定値として使用され得る、粒子が収集される割合を供給する。これらの測定値は、イオン化率を増加させるようにイオン化パラメータを調整するための根拠として使用され得る。これは、イオン収集ツールによって供給されるイオン化粒子の数の測定値が増加するようにイオン化パラメータを調整するためのコントローラを配置することによって実行され得る。Ｘ線源の性能を損なわずに必要な調整を可能にするために、イオン化ツール設定は、上述されたように第１の電子源とは独立していてもよい。
【００１８】
イオン収集ツールは、Ｘ線源の損傷を受けやすい部分から離れる方に荷電粒子を向ける又は誘導するための機能性を備え得る。陽イオンの第１の電子ビームへの引力が、ビームの形状及び／又は方向に影響を及ぼす場合もあることに留意されたい。この影響が低減されるようにイオン収集ツールが配置される場合、第１の電子ビームの制御が幾分単純になり得る。
【００１９】
粒子は更に収集され、容器に輸送され得るか、又は再度ターゲットの一部を形成するように再循環されるように輸送され得る。イオン収集ツールはまた、収集された粒子の量を測定するための手段を備え得る。これは、荷電粒子によって生成される電流を測定する電流計又は同様の電流測定デバイスを用いて実現されることができる。この電流は、デブリの生成率に関連している。
【００２０】
いくつかの例によれば、電界は、２つ以上の導電性要素すなわち電極間に発生し得、その少なくとも１つは、チャンバを囲むハウジングの少なくとも一部分に電気接続され、及び／又はその一部を形成し得る。よってハウジングは、金属製の真空エンベロープ部品のアセンブリのような、１つ又はいくつかの導電性要素を備え得る。ハウジングは、単一の導電性要素からなり、モノリシックであり得、その上に、例えばアイソレータに搭載された高電圧陰極といった、照射機器及び他の機器が搭載されている。代替的に、ハウジングは更に、非導電部分を備えてもよい。特に、ハウジングは、複数の相互絶縁した導電性要素からなり得、それは、絶縁した各導電性要素が、ハウジングを構成する他の要素とは独立して電位に置かれることを可能にする。
【００２１】
第２の導電性要素は、共通バイアス電圧だけ第１の導電性要素から分離された複数の物理的に分離した導電性要素であり得ることに留意されたい。代替的に、第２の導電性要素は、複数の（又はグループの）導電性要素からなり得、それらは、独立した（ただし必ずしも別個ではない）電位に接続され、その結果、第１の導電性要素から複数の独立したバイアス電圧だけ分離される。
【００２２】
主に静電界又は電界が荷電粒子のエネルギーとは独立して荷電粒子に影響を与え得るので、本発明は、イオン化粒子の移動を制御又はそれに少なくとも影響を及ぼすために磁気手段よりもむしろ静電手段を優先する。逆に、第１の電子ビーム中の電子は、典型的には荷電粒子よりも更に速く移動するので、例えば陰極領域又はＸ線窓へ向かうデブリ輸送を効率的に防ぐが、依然として第１の電子ビームを重大なレベルまで妨害しない磁界を設計することはより精密なタスクになるであろう。
【００２３】
電子銃とも称されることもある第１の電子源は、電圧供給によって電力供給され、及び例えば、熱電子、熱電界又は冷電界荷電粒子源のような電子源を含む、陰極を備え得る。電子ビームは加速開口部に向かって加速され得、そのポイントでそれは、整列板、レンズ、及び偏向板の配置を備え得る電子光学システムに入り得る。整列手段、偏向手段、及びレンズの可変特性が、コントローラによって供給される信号によって制御可能であり得る。整列手段、偏向手段、及びレンズは、静電、磁気、及び／又は電磁構成要素を備え得る。電子光学システム（単数又は複数）は、第１の電子ビームを相互作用領域内のターゲット上に向け、及び／又は第２の電子ビームを、それが粒子と相互作用し得るチャンバ内の領域に向けるように較正及び動作され得る。
【００２４】
「イオン収集ツール」という用語は、通常であればチャンバ内部を自由に動くか又はＸ線源の機能を悪化させることになる粒子を方向転換、除去、収集、格納、又は測定することが可能である構造及び手段を指すこともある。よって、「除去」という用語は、チャンバ内のイオンの「固定化」と置き換えられることもある。イオン収集ツールは、例えば、粒子が付着することもあるチャンバの内壁から形成され、及び／又は粒子を除去するためのゲッタ材料を備え得る。いくつかの例では、イオン収集ツールは、電界発生器とイオンダンプとの組合せを指すこともあり、ここにおいて、電界発生器は、粒子をイオンダンプに向ける電界を発生させるように動作可能であり得る。いくつかの例では、イオン収集ツールは、第１の電子ビームをフォーカス又はデフォーカスするための磁気レンズを備え得る。このレンズの磁界に入るイオンは、特にイオンの軌道が磁界と平行ではない場合、光軸から離れる方に偏向され得る。
【００２５】
「粒子」という用語は、一般に、デブリ、蒸気、及び他の材料の破片、特にチャンバ内を泳動し、場合によってはＸ線源の機能に悪影響を及ぼすこともある材料を指すこともある。「粒子」という用語が、本願のコンテキストでは、「デブリ」と交換可能に使用されてもよいことが理解されるであろう。
【００２６】
一実施形態によれば、イオン化ツールは、チャンバ内の粒子をイオン化するための第２のエネルギーの電子を備える第２の電子ビームを放出するように動作可能な第２の電子源によって形成される。第２の電子源は、第１の電子源と同様に構成され得る。第２の電子ビームの電子は、整列板、レンズ、及び偏向板の配置を備え得る電子光学システムを通過し得る。整列手段、偏向手段、及び／又はレンズの可変特性が、コントローラによって供給される信号によって制御可能であり得る。整列手段、偏向手段、及び／又はレンズは、静電、磁気、及び／又は電磁構成要素を備え得る。電子光学システムは、第２の電子ビームを、それが粒子と相互作用し得るチャンバ内の領域に向けるように較正及び動作され得る。
【００２７】
Ｘ線源は、粒子をイオン化するための単一の第２の電子源に限定されるわけではない。いくつかの例では、Ｘ線源は、第１の電子源に加えて、第１の電子源の陰極領域の方へ向けられた電子源と、Ｘ線窓領域の方へ向けられた別の電子源とを備え得る。
【００２８】
しかしながら、「第２の電子源」という用語は、チャンバ内の粒子をイオン化するための電子を発生させることが可能な任意の構造又は特徴を指してもよいことに留意されたい。第２の電子源は、例えば、二次放出電子（又は略して二次電子）を発生させやすい材料に第１の電子ビームを衝突させることによって、第１の電子源によって誘起され得る。このプロセスの歩留まりが１よりも大きい場合、電子なだれを達成することができる。これらの二次電子は、例えば、第１の電子ビームの電子がターゲットに衝突したときに発生し、それゆえ、相互作用ポイントに近接した粒子をイオン化し得る。
【００２９】
第１の電子源は、例えば１ｋｅＶ以上といったＸ線放射を発生させるのに好適であるエネルギーを有する電子を供給するように適応され得、これに対して、第２の電子源は、チャンバ内の粒子をイオン化するのに好適であるエネルギーを有する電子を供給するように適応され得る。Ｘ線は、連続的な制動放射及び特徴的な線放出の両方として放出され得、特定の放出特徴は、使用されるターゲット材料に依存し得る。Ｘ線放射を発生させるための電子エネルギーは、ターゲット材料及びジオメトリに依存して選択され得る。Ｘ線の線放出を生成することができるように、利用可能なエネルギーは、ターゲット材料からＫ電子をノックアウトするのに必要とされるエネルギーよりも大きくなるべきである。より高い電子エネルギーは、各衝突電子がいくつかのターゲット電子をノックアウトすることもあるので、より多くのＸ線生成をもたらし得る。しかしながら、より大きいエネルギーは、電子がターゲット材料により深く侵入することをもたらすこともあり、よって、発生したＸ線光子のより大きい部分が放出されることができる前にターゲット材料によって吸収される。ガリウム合金液体金属ジェットシステムでは、エネルギーは１０乃至１６０ｋｅＶの範囲内にあり得る。典型的には、第２のエネルギーは、粒子と相互作用するための比較的大きい断面を供給するために１ｋｅＶよりも低いこともある。これは、粒子の材料に依存して、例えば、１０乃至１００ｅＶの範囲内にある第２のエネルギーに対応し得る。例えばガリウムには２０乃至３０ｅＶが、インジウムには３０ｅＶが使用され得る。
【００３０】
一実施形態によれば、イオン収集ツールは、粒子が第１の電子ビームの経路から離れる方に輸送されることを可能にするように、第１の電子ビームに対して横方向に配向された電界を発生させるように適応され得る。
【００３１】
イオン収集ツールによって使用される電磁界は、例えば、第１の電子ビームに対する電磁界の影響を更に低減するように、第１の電子源の光軸に対して回転対称に配置されたコイル又は電極によって供給され得る。
【００３２】
一実施形態では、イオン収集ツールによって使用される電磁界は、第１の導電性要素、第２の導電性要素、及び第１の導電性要素と第２の導電性要素との間で非ゼロバイアス電圧を印加するように動作可能な電源によって発生される電界を備え得る。第１及び第２の導電性要素の幾何学的構成及びバイアス電圧の大きさが、結果として生じる電界がチャンバからイオン化粒子を除去するために選択され得る。イオンは典型的には熱エネルギー（１ｅＶ未満）を有するので、イオン軌道を著しく変更するのに数百ボルトのバイアスが十分であり得る。１つの例では、幾何学的構成は、荷電粒子が陰極領域及び／又はＸ線窓に入るのを防ぐように選択される。
【００３３】
ターゲットは、固体、液体、又は気体の材料を備え得る。本発明は、デブリ粒子の放出をもたらすターゲットの劣化が、結果として得られるＸ線性能の悪化なく許容されることができるケースのように、再生ターゲットと共に使用するのに有利である。
【００３４】
好ましい一実施形態によれば、Ｘ線源は更に、相互作用領域を通って伝播する、例えば気体又は液体ジェットのような材料の流れの形態のターゲットを発生させるように適応されるターゲット発生器を備え得る。ジェットは、例えば、液体金属のような液体物質を出口開口を通して圧力をかけることによって形成され得る。ジェットは、１０ｍ／ｓ以上の速度で伝播する高速ジェット、又は１０ｍ／ｓ未満の速度で伝播する低速ジェットであり得る。ジェットはその性質上再生式であるので、ターゲット材料の更なる冷却の必要はない。よって、ターゲットにおける電子ビーム出力密度は、非再生ターゲットと比較して著しく増加することもある。ターゲット材料は、例えば、インジウム、スズ、ガリウム、鉛、又はビスマス、若しくはこれらの合金のような、低融点を有する金属によって形成され得、所望のエネルギーでのＸ線の線放射を示す。同じ利点を実現する代替案は、濃縮された気体ジェットの形態のターゲットを供給することを含み得る。
【００３５】
一実施形態によれば、チャンバから除去された粒子は、ターゲットを再供給するために使用され得る。特に、イオン収集ツールは、収集された材料をターゲット発生器に再供給するための液体ジェット材料システムに接続され得る。イオン収集ツールすなわちイオンダンプは、例えば、イオン化粒子が収集及び再利用されてもよい平滑及び／又は斜めの表面を備え得る。有利なことに、イオン収集ツールは、毛管作用によって、例えば液体ターゲットからのデブリのような粒子の輸送を容易にする表面を備え得る。更に、毛管効果は、電気光学的に活性である表面の表面粗さを低減するのに有用であり得る。粒子を離れる方に輸送することは、例えば、第１の電子源上の凝縮液滴及びバンプの形成のリスクを低減するのに役立つことができ、これは、そうでなければＥ界分布を歪め、時間と共に電子ビームの位置をずらす傾向がある。表面の平滑性はまた、高電圧構成要素の信頼性のために重要であり得る。液滴又は凝縮は、電界放出及びアーク放電を誘起し、よって、高電圧機器（発生器、配線、等）を悪化させ、早期にストレスを加えて老化させる局所Ｅ界強度を増加させる傾向がある。
【００３６】
一実施形態によれば、第２の電子源は、発散する第２の電子ビームを放出するように動作可能であり得る。イオン化が電子ビームの近傍で起こると考えられるので、発散ビームは、あまり発散しないビームと比較して、より多くの粒子をイオン化し得る。このように、本実施形態は、チャンバ内の粒子をイオン化する能力が増加したＸ線源を供給し得る。一方、より小さい電子密度がイオン化断面を低下させることもある。よって、中性粒子の位置が分かっている場合、その位置に第２の電子ビームをフォーカスすることが有利となる。更なる実施形態は、第２の電子源から放出された電子が、中性粒子に遭遇することになる確率を増加させる経路、例えばＸ線窓又は相互作用領域の近傍で円形又は螺旋状の経路に沿って移動することを確実にする誘導電磁界を含むことであろう。
【００３７】
本発明は、相互に異なる請求項に記載されていても、上で概説された技術的特徴の全組合せに関することに留意されたい。よって、上記第１の態様に従って説明された特徴のいずれも、本発明の第２の態様に係る方法と組み合わされることができる。
【００３８】
本発明の更なる目的、特徴、及び利点は、以下の詳細な開示、図面、及び添付の特許請求の範囲を参酌すると明らかになる。
【００３９】
本発明がここで、添付の図面を参照して例示の目的で説明される。
【図面の簡単な説明】
【００４０】
【図１】本発明のいくつかの実施形態のうちの１つに係るＸ線源の概略的な側面断面図。
【図２】本発明のいくつかの実施形態のうちの１つに係るＸ線源の概略的な側面断面図。
【図３】本発明のいくつかの実施形態のうちの１つに係るＸ線源の概略的な側面断面図。
【図４】一実施形態に係る第２の電子源の側面断面図。
【図５】本発明の一実施形態に係るＸ線放射を発生させるための方法を概略的に例示する図。
【００４１】
すべての図は概略的であり、必ずしも縮尺通りではなく、一般に、本発明を明瞭にするために必要である部分のみを示しており、他の部分は省略されているか又は単に示唆されていることもある。
【発明を実施するための形態】
【００４２】
ここで本発明の一実施形態に係るＸ線源１００が図１を参照して説明される。図１に示されるように、真空チャンバ１１０は、囲い１１２と、真空チャンバ１１０を周囲雰囲気から分離するＸ線透過窓１８０とによって画定され得る。Ｘ線１５０は、第１の電子ビームからの電子がターゲット１２０と相互作用し得る、相互作用領域Ｉから発生し得る。
【００４３】
電子ビームは、相互作用領域Ｉの方へ向けられた、高電圧陰極を備える電子銃１３０のような第１の電子源１３０によって発生され得る。
【００４４】
本実施形態によれば、ターゲット１２０は、例えば、相互作用領域Ｉと交差する液体ジェット１２０から形成され得る。液体ジェット１２０は、相互作用領域Ｉに向かって及びそれを通って伝播するジェット１２０を形成するように、例えば液体金属のような、例えば液体又は気体が噴出され得るノズルを備えるターゲット発生器１４０によって発生され得る。
【００４５】
Ｘ線源１００は更に、液体ジェット１２０の材料を収集するための収集リザーバとターゲット発生器１４０との間に位置する閉ループ循環システム１４２を備え得る。閉ループシステム１４２は、ターゲットジェット１２０を発生させるために、少なくとも１０バール、好ましくは少なくとも５０バール以上に圧力を上げるように適応された高圧ポンプによって、収集された液体金属をターゲット発生器１４０に循環させるように適応され得る。
【００４６】
更に、Ｘ線源は、チャンバ１１０内の粒子をイオン化するように適応されたイオン化ツール１６０を備え得る。イオン化ツール１６０は、好ましくは第１の電子源１３０の動作から独立して、１つ又は複数の第２の電子ビーム（単数又は複数）を放出するように動作可能であり得る、例えば、第１の電子ビームとターゲット材料との相互作用時に発生し得るデブリをイオン化するのに好適な第２のエネルギーの電子を備える、例えば、第２の電子源１６０から形成され得る。本図によって例示される例では、第２の電子源１６０は、電子エミッタ、１つ又は複数の陽極電極、及びデフレクタを備え得る。第２の電子源１６０すなわち電子銃は、第１の電子ビームの方向と交差する方向に少なくとも１つの電子ビームを放出するように配置、すなわち第１の電子ビームに対して横方向に配向され得る。更に、横断する第２の電子ビームは、粒子が相互作用領域ＩからＸ線窓１８０に向かう途中でイオン化されることができるように、Ｘ線窓１８０と相互作用領域Ｉとの間の位置で粒子と相互作用するように配向され得る。更に、第２の電子源から放出された電子が中性粒子に遭遇することになる確率を増加させる経路、例えばＸ線窓又は相互作用領域の近傍の円形又は螺旋状の経路に沿って移動することを確実にする誘導電磁界（図示せず）が設けられ得る。
【００４７】
Ｘ線源１００は更に、イオン化ツール１６０に動作可能に接続され得るコントローラ１９０又は制御回路１９０を備え得る。コントローラ１９０は、イオン化ツール１６０の動作を制御し、例えば第２の電子ビームが所望の位置に向けられることを可能にするように構成され得る。またコントローラは、チャンバ１１０において発生するか又はチャンバ１１０に存在するイオン化粒子の数の測定値を検索するために、例えば、イオン収集ツール又は粒子センサ（図示せず）に更に接続されてもよいことも理解されるであろう。この測定値は、例えば、イオン化ツールの動作を制御するときの入力として使用され得る。
【００４８】
図１はまた、Ｘ線源１００が、イオン化粒子を除去する又は少なくとも固定化するためのイオン収集ツール１７０を備え得ることを示す。収集ツール１７０は、粒子の移動を制御するため又はそれに少なくとも影響を及ぼすための電磁界Ｅを利用し得る。電磁界Ｅには、例えば、Ｘ線源の光軸に対して横方向の構成要素が設けられ得、その結果、荷電粒子は、例えばＸ線窓１８０又は第１の電子源１３０までつながる軌道から離れる方に偏向され得る。電磁界Ｅは、例えば光軸の反対側に配置された第１及び第２の導電板から形成され得、２つの電極１７２間に発生し得る。バイアス電圧が、電極１７２に電気接続された電圧源１７４によって電極１７２に印加され得る。
【００４９】
本実施形態では、電極１７２のうちの１つは、イオン化粒子を収集するように適応された、イオンコレクタすなわちイオンダンプ１７６と組み合わされ得る。よって、荷電粒子は、電界Ｅによって捕獲され、例えば、凝縮、静電引力、及び／又はゲッタ材料によってそれらが捕捉又は収集され得るイオンコレクタ１７６の方へ向けられ得る。更に、イオンコレクタ１７６は、収集された粒子がターゲット１２０の発生で再使用されることができるように、閉ループリサイクルシステム１４２に接続され得る。代替的又は追加的に、イオンコレクタ１７６は、収集された粒子の量を測定するための測定デバイス（図示せず）と組み合わされてもよい。測定デバイスは、例えば、荷電粒子によって生成された電流を測定するための、電流計のような電流測定デバイスを備え得、よって、チャンバ内のイオン化率の測定値を供給する。測定デバイスは更に、コントローラ１９０に接続され得る。
【００５０】
図２は、図１を参照して説明された実施形態と同様に構成され得る実施形態に係るＸ線源を開示する。本実施形態において、イオン収集ツール１７０は、第１の電子ビームの方向に沿って電界Ｅを発生させるように配置され得る。電界は好ましくは、回転対称の電極１７２によって発生され得る。この装備を用いると、電界は、制限された程度に、すなわちデフォーカス又はリフォーカスすることによって容易に補償されることができるように、第１の電子ビームを乱すことになる。特に、回転対称の電極の主な効果は、電子ビームの発散を変化させることである。この例では、イオン収集ツール１７０は、第１の電子ビームがターゲット１２０（例えば、固定の固体ターゲット又は液体ジェットターゲットのような任意のターゲットであり得る）への途中で伝播し得る開口部を有する電極１７２を備える。したがって開口部のサイズに依存して、第１の電極１７２は、少なくとも一部の粒子が第１の電子源１３０に向かって伝搬することを防ぐ機械シールドを形成し得る。更に、結果として生じる電界Ｅが、荷電粒子が開口部を介して第１の電子源１３０の領域に入ることを防ぐように、イオン収集ツール１７０の幾何学的構成及びバイアス電圧の大きさが選択され得る。電界Ｅを発生させるために印加されることになるバイアス電圧は、相互作用領域Ｉから電界Ｅを通った電極１７２の開口部までの最大エネルギーを下回る運動エネルギーで単独で帯電した陽イオンを動かす作用が、該最大エネルギーよりも大きい働きを必要とするように、選択されることになる。換言すれば、最大エネルギーを下回る運動エネルギーですべてのイオンを止めるのに十分高いエネルギー閾値を実現するように、平行電界が設計され得る。
【００５１】
しかしながら、導電性要素又は電極が、電界発生手段の一部を形成しないシールドの開口部の内側に配置されてもよいことが理解されるであろう。本図に示されるように、電極１７２とハウジングの一部分との間に電界Ｅが発生し得、それは、接地電位又は所望の電界Ｅを発生させるのに好適な他の任意の電位に保たれ得る。
【００５２】
更に、イオン化ツール１６０は、相互作用領域Ｉと第１の電子源１３０との間を通過する粒子を照射するように配置された複数の第２の電子源を備え得る。イオン化ツール１６０は、例えば、相互作用領域Ｉとイオン収集ツール１７０との間の通路に配置され得る。
【００５３】
図３は、イオン化ツール（例えば、第２の電子源１６０を備える）が第１の電子源１３０から見て相互作用領域Ｉの上流に配置されている、図１及び図２に関連して説明された実施形態に類似し得るＸ線源１００を例示する。本図に示されるように、１つ又は複数の電気コイル１７０が、第１の電子ビームを少なくとも部分的に囲むように配置され得る。図３では、コイルの断面が示されており、ここにおいて、コイル１７０は、Ｘ線源１００の光軸と平行であり得る磁界Ｂを発生させるように構成され得る。コイル１７０は、電子ビームの品質を制御及び改良するための電子光学システムの一部を形成し得る。代替的に、又は結果として、コイル１７０は、コイルに入る少なくとも一部の荷電粒子を偏向させるように配置され得る。本図によって例示される例を参照すると、磁界Ｂに非平行な軌道を有する荷電粒子は、それらが第１の電子源１３０に到達するのを防ぐことができるように、コイル１７０内の磁界と相互作用し得る。しかしながら、光軸に沿って移動する粒子は、磁界Ｂに沿って移動するので、コイル１７０によってあまり影響を受けないこともある。それらは他方では、第１の電子源の電子によって衝撃が与えられ、場合によっては、光軸に対して垂直の非ゼロ速度の構成要素が与えられ得る。
【００５４】
更に、例えば、負帯電板であり得るイオンダンプ１７８又は開口部が、磁界Ｂによって偏向される粒子の少なくとも一部を収集するためにコイル１７０の上流に配置され得る。よって、ターゲット１２０の近傍に発生した粒子は、第１の電子源１３０に到達する前に磁界Ｂ及びイオンダンプ１７８の開口部を通過する必要がある。
【００５５】
一実施形態によれば、例えば図３に示されるような磁界Ｂは、図２に示されるものと同様の配向を有する電界と組み合わされてもよい。そのケースでは、イオンダンプ１７８は、例えば第１の電子ビームがターゲットへの途中で伝搬し得る開口部を有する回転対称の電極と置き換えられ得る。
【００５６】
図４は、一実施形態に係る第２の電子源１６０の断面である。電子源１６０は、前の図に関連して説明されたイオン化ツールと同様に構成され得る。第２の電子源１６０は、ヒータ電流によって加熱されると電子を放出するように構成され得る、例えばフィラメント１６２のような電子エミッタ１６２を備え得る。更に、放出された電子を加速するための電界ＥAを発生させるために陽極装置１６４が設けられ得る。放出された電子はそして、例えば、異なる方向に電子ビームを向けるための複数のプレートから形成され得るデフレクタ装置１６６を通過し得る。本図には例示されていないが、チャンバ内の粒子をイオン化するための所望の特性を有する第２の電子ビームを供給するようにヒータ電流、加速電位、及び／又はデフレクタ１６６を制御するために、コントローラが配置され得る。
【００５７】
図５は、本発明の一実施形態に係るＸ線放射を発生させるための方法を例示するフローチャートである。本方法は、ターゲット１２０を形成するようにチャンバ１１０内の相互作用領域Ｉを通って伝搬するターゲット材料の流れを形成するステップ１０と、第１のエネルギーの電子を備える第１の電子ビームを、その電子ビームがターゲット１２０と相互作用してＸ線放射を発生させるように相互作用領域Ｉの方へ向けるステップ２０とを備え得る。本方法は更に、チャンバ内の粒子をイオン化するステップ３０と、電界Ｅによってチャンバ１１０からイオン化粒子を除去するステップ４０とを備え得る。粒子をイオン化するステップ３０は、いくつかの実施形態において、粒子をイオン化するのに好適な第２のエネルギーの電子を備える第２の電子ビームが、第１の電子ビームとターゲットとの相互作用から発生したデブリと相互作用するように第２の電子ビームを向けるステップ３０を備え得、それによって、チャンバ内の粒子の少なくとも一部をイオン化する。本方法は更に、イオン化粒子を収集するステップ５０と、イオン化粒子が収集された割合を測定するステップ６０と、割合が増加するように該第２の電子ビームを調整するステップ７０とを備え得る。また更なる実施形態において、本方法は、チャンバから除去された粒子をターゲットに再供給するステップ８０を備え得る。本方法を備えるターゲット１２０を形成するようにチャンバ１１０内の相互作用領域Ｉを通って伝搬するターゲット材料の流れを形成するステップ１０を備える実施形態の場合、収集された粒子をターゲット材料の流れに再供給するステップ８０を更に備え得る。
【００５８】
当業者は、本発明が、上述された例となる実施形態に決して限定されないことを理解する。それどころか、添付の特許請求の範囲内で多くの変更及び変形が可能である。例えば、イオン化ツール及び／又はイオン収集ツールの電極は、他の幾何学的位置に配置されてもよい。印加される電磁界は、純粋に軸方向でも純粋に横方向でもある必要はないが、特にＸ線源の損傷を受けやすい部分から離れる方にデブリ粒子を加速させること又は吸着によってそれらを表面上又はイオンダンプに固定化することによってデブリ粒子の移動性を制限するのに有効であれば異なるように配向されてもよい。特に、イオン化ツール及び／又は電磁界は、時間と共に変化するように配備されてもよく、これは、デブリ粒子を、損傷を受けやすい部分（例えば、Ｘ線窓又は陰極）から、それらが無害である領域へと方向転換する、より洗練された方法を提供する。時間変化する配備はまた、周期的な間隔でより完全に、自由に動くデブリから照射領域をクリアにするために使用されることもある。
【００５９】
追加的に、開示された実施形態に対する変形が、図面、開示、及び添付の特許請求の範囲の参酌から、特許請求された発明を実施する際に当業者によって理解及び遂行されることができる。特許請求の範囲において、「備える」という単語は他の要素又はステップを除外するものではなく、不定冠詞「a」又は「an」は複数性を除外しない。特定の手段が相互に異なる従属請求項に記載されているという単なる事実は、これらの手段の組合せが有利に使用できないことを示すものではない。
【図１】
2019525386.tif 000003
【図２】
2019525386.tif 000004
【図３】
2019525386.tif 000005
【図４】
2019525386.tif 000006
【図５】
2019525386.tif 000007
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
相互作用領域（Ｉ）を備えるチャンバ（１１０）と、
第１のエネルギーの電子を備え、第１の電子ビームがターゲット（１２０）と相互作用してＸ線放射（１５０）を発生させるように、前記相互作用領域に向かって前記第１の電子ビームを放出するように動作可能な第１の電子源（１３０）と、
前記チャンバ内の粒子をイオン化するための第２のエネルギーの電子を備える第２の電子ビームを放出するべく独立して動作するように適応された第２の電子源（１６０）と、
電磁界（Ｅ）によって前記チャンバから前記イオン化された粒子を除去するように適応されたイオン収集ツール（１７０）と、
を備えるＸ線源（１）であって、
前記第２の電子源は、電子エミッタ（１６２）と、加速電位を発生させるための陽極電極（１６４）と、デフレクタ（１６６）とを備え、
前記第１のエネルギーは１ｋｅＶ又はそれより高く、前記第２のエネルギーは１ｋｅＶよりも低い、Ｘ線源。
【請求項２】
前記電子エミッタは、ヒータ電流によって加熱されると電子を放出するためのフィラメントを備える、請求項１に記載のＸ線源。
【請求項３】
前記ヒータ電流、前記加速電位、及び前記デフレクタのうちの少なくとも１つを調整するように配置されたコントローラ（１９０）を更に備える、請求項２に記載のＸ線源。
【請求項４】
前記イオン収集ツールは、イオン化粒子の数の測定値を供給するように配置され、前記コントローラは、前記測定値を増加させる調整を行うように配置される、請求項３に記載のＸ線源。
【請求項５】
前記イオン収集ツールは、ゲッタ材料を備える、請求項１に記載のＸ線源。
【請求項６】
前記イオン収集ツールは、前記イオン化された粒子をイオンダンプの方へ向ける前記電磁界を発生させるための導電性要素（１７２）を備える、請求項１に記載のＸ線源。
【請求項７】
前記イオン収集ツールは、前記第１の電子ビームに対して横方向に配向された電界を発生させるように適応される、請求項１に記載のＸ線源。
【請求項８】
前記電磁界は、前記第１の電子源の光軸に対して回転対称に配置される、請求項１に記載のＸ線源。
【請求項９】
ターゲットを形成するように前記相互作用領域を通って伝播するターゲット材料の流れを形成するように適応されたターゲット発生器（１４０）を更に備える、請求項１に記載のＸ線源。
【請求項１０】
前記ターゲットは、液体金属ジェットから形成される、請求項９に記載のＸ線源。
【請求項１１】
前記イオン収集ツールは、前記ターゲット材料を前記ターゲット発生器に再供給するための液体ジェット材料システム（１４２）に接続される、請求項１０に記載のＸ線源。
【請求項１２】
Ｘ線窓（１８０）を更に備え、前記第２の電子源は、前記第２の電子ビームを前記Ｘ線窓の方へ向けるように適応される、請求項１に記載のＸ線源。
【請求項１３】
Ｘ線放射を発生させるための方法であって、
第１のエネルギーの電子を備える第１の電子ビームがターゲットと相互作用してＸ線放射を発生させるように、前記第１の電子ビームをチャンバ内の相互作用領域の方へ向けること（２０）と、
前記チャンバ内の粒子をイオン化するための第２のエネルギーの電子を備える第２の電子ビームが、前記第１の電子ビームと前記ターゲットとの前記相互作用から発生したデブリと相互作用するように、前記第１の電子ビームとは独立して、デフレクタによって前記第２の電子ビームを向けて（３０）、それによって前記チャンバ内の前記粒子の少なくとも一部をイオン化することと、
電磁界によって前記チャンバから前記イオン化された粒子を除去すること（４０）と、
を行うステップを備え、
前記第１のエネルギーは１ｋｅＶ又はそれより高く、前記第２のエネルギーは１ｋｅＶよりも低い、方法。
【請求項１４】
前記イオン化された粒子を収集すること（５０）と、イオン化粒子が収集された割合を測定すること（６０）と、前記割合が増加するように前記第２の電子ビームを調整すること（７０）とを更に備える、請求項１３に記載の方法。
【請求項１５】
前記ターゲットを形成するように前記チャンバ内の前記相互作用領域を通って伝搬するターゲット材料の流れを形成すること（１０）を更に備える、請求項１３又は１４に記載の方法。
【請求項１６】
前記チャンバから除去された前記粒子を前記ターゲットに再供給すること（８０）を更に備える、請求項１３又は１４に記載の方法。
【請求項１７】
収集された前記イオン化された粒子を前記ターゲット材料の流れに再供給することを更に備える、請求項１５に記載の方法。
【手続補正２】
【補正対象書類名】明細書
【補正対象項目名】００５９
【補正方法】変更
【補正の内容】
【００５９】
追加的に、開示された実施形態に対する変形が、図面、開示、及び添付の特許請求の範囲の参酌から、特許請求された発明を実施する際に当業者によって理解及び遂行されることができる。特許請求の範囲において、「備える」という単語は他の要素又はステップを除外するものではなく、不定冠詞「a」又は「an」は複数性を除外しない。特定の手段が相互に異なる従属請求項に記載されているという単なる事実は、これらの手段の組合せが有利に使用できないことを示すものではない。
以下に、出願当初の特許請求の範囲に記載の事項を、そのまま、付記しておく。
［１］  相互作用領域（Ｉ）を備えるチャンバ（１１０）と、
第１のエネルギーの電子を備え、第１の電子ビームがターゲット（１２０）と相互作用してＸ線放射（１５０）を発生させるように、前記相互作用領域に向かって前記第１の電子ビームを放出するように動作可能な第１の電子源（１３０）と、
前記チャンバ内の粒子をイオン化するための第２のエネルギーの電子を備える第２の電子ビームを放出するべく独立して動作するように適応された第２の電子源（１６０）と、
電磁界（Ｅ）によって前記チャンバから前記イオン化された粒子を除去するように適応されたイオン収集ツール（１７０）と、
を備え、
前記第２の電子源は、電子エミッタ（１６２）と、加速電位を発生させるための陽極電極（１６４）と、デフレクタ（１６６）とを備える、Ｘ線源（１）。
［２］  前記電子エミッタは、ヒータ電流によって加熱されると電子を放出するためのフィラメントを備える、［１］に記載のＸ線源。
［３］  前記ヒータ電流、前記加速電位、及び前記デフレクタのうちの少なくとも１つを調整するように配置されたコントローラ（１９０）を更に備える、［２］に記載のＸ線源。
［４］  前記イオン収集ツールは、イオン化粒子の数の測定値を供給するように配置され、前記コントローラは、前記測定値を増加させる調整を行うように配置される、［３］に記載のＸ線源。
［５］  前記第１のエネルギーは１ｋｅＶ又はそれより高く、前記第２のエネルギーは１ｋｅＶよりも低い、［１］に記載のＸ線源。
［６］  前記イオン収集ツールは、ゲッタ材料を備える、［１］乃至［５］のいずれか一項に記載のＸ線源。
［７］  前記イオン収集ツールは、前記イオン化された粒子をイオンダンプの方へ向ける前記電磁界を発生させるための導電性要素（１７２）を備える、［１］乃至［６］のいずれか一項に記載のＸ線源。
［８］  前記イオン収集ツールは、前記第１の電子ビームに対して横方向に配向された電界を発生させるように適応される、［１］乃至［７］のいずれか一項に記載のＸ線源。
［９］  前記電磁界は、前記第１の電子源の光軸に対して回転対称に配置される、［１］乃至［７］のいずれか一項に記載のＸ線源。
［１０］  ターゲットを形成するように前記相互作用領域を通って伝播するターゲット材料の流れを形成するように適応されたターゲット発生器（１４０）を更に備える、［１］乃至［９］のいずれか一項に記載のＸ線源。
［１１］  前記ターゲットは、液体金属ジェットから形成される、［１０］に記載のＸ線源。
［１２］  前記イオン収集ツールは、前記ターゲット材料を前記ターゲット発生器に再供給するための液体ジェット材料システム（１４２）に接続される、［１１］に記載のＸ線源。
［１３］  Ｘ線窓（１８０）を更に備え、前記第２の電子源は、前記第２の電子ビームを前記Ｘ線窓の方へ向けるように適応される、［１］に記載のＸ線源。
［１４］  Ｘ線放射を発生させるための方法であって、
第１のエネルギーの電子を備える第１の電子ビームがターゲットと相互作用してＸ線放射を発生させるように、前記第１の電子ビームをチャンバ内の相互作用領域の方へ向けること（２０）と、
前記チャンバ内の粒子をイオン化するための第２のエネルギーの電子を備える第２の電子ビームが、前記第１の電子ビームと前記ターゲットとの前記相互作用から発生したデブリと相互作用するように、前記第１の電子ビームとは独立して、前記第２の電子ビームを向け（３０）、それによって前記チャンバ内の前記粒子の少なくとも一部をイオン化することと、
電磁界によって前記チャンバから前記イオン化された粒子を除去すること（４０）と、
を行うステップを備える、方法。
［１５］  前記イオン化された粒子を収集すること（５０）と、イオン化粒子が収集された割合を測定すること（６０）と、前記割合が増加するように前記第２の電子ビームを調整すること（７０）とを更に備える、［１４］に記載の方法。
［１６］  前記ターゲットを形成するように前記チャンバ内の前記相互作用領域を通って伝搬するターゲット材料の流れを形成すること（１０）を更に備える、［１４］又は［１５］に記載の方法。
［１７］  前記チャンバから除去された前記粒子を前記ターゲットに再供給すること（８０）を更に備える、［１４］乃至［１６］のいずれか一項に記載の方法。
［１８］  収集された前記イオン化された粒子をターゲット材料の前記流れに再供給することを更に備える、［１６］に記載の方法。
【国際調査報告】
2019525386.tif 000008
2019525386.tif 000009
2019525386.tif 000010